(57)【要約】貴金属電極と対極の間でプラズマ水中放電させて得られる貴金属の超微粒子を含んだ超微分散水を頭皮に塗布した後、ヘッドマッサージケアすることによって、毛根を伝わって頭皮内の毛髪組織に該分散液が浸透して毛母細胞及び毛乳頭部分に及ぶ結果、組織の神経、毛細血管に溶液の影響が伝わり、脳の活性化を促す。【特許請求の範囲】
【請求項１】
貴金属電極と対極の間でプラズマ水中放電させて生ずる貴金属超微粒子の超微分散液であることを特徴とするヘッドマッサージ処理液。
【請求項２】
貴金属の超微粒子を含んでなる超微分散水を頭皮に塗布して、ヘッドマッサージすることを特徴とする頭部処理方法。
【発明の詳細な説明】
技術分野
本発明は、頭皮に塗布して頭部をマッサージケアするのに適した貴金属の超微粒子の超微分散したヘッドマッサージ処理液に関する。
背景技術
金、白金、銀などの貴金属は、古来から貴重な金属として重用され、主として装飾や財宝の形態で使用されてきたが、近年には人体の健康増進への効能も認識され、純金ブレスレットや金箔入りの日本酒などとして利用されていた。しかし、これらの健康製品は、高価な貴金属を含んでいるという高級感は感受していても、実際的な健康面への効能は十分に知得されていなかった。
ところが、最近、健康志向の社会的風潮に応じて、貴金属の健康機能が再び注目されはじめ、貴金属の金属単体や金箔のような装飾に用いるよりも貴金属イオンや貴金属微粒子などの形態での使用が、健康増進機能が顕著であるころが知られるに至った。
貴金属イオンや貴金属微粒子の健康増進機能や病気治癒効果の可能性は注目度が高く、貴金属の健康面への寄与の大きいことも知られており、応用面では貴金属イオンや貴金属の微粒子の水溶液や水分散液の利用が重要ではあるが、これらの実用化においてはいくつかの解決されるべき問題点があり、今後の技術展開が期待されるところであった。
すなわち、従来、貴金属イオンや貴金属微粒子を水に溶け込ますのは極めて難しく、そのため生産コストや経済性を満たすことができず、しかも健康増進機能において十分な効果が検証されないなどの問題が残っていた。
一方、頭皮のマッサージも種々の方法でおこなわれており（特開平７−１６３０４号公報）、マッサージを行う機器の開発もされてきた（特開平８−６８８号公報、特開平１１−４７２１１号公報、特開平１１−１９６９２５号公報）が、いずれも頭髪の育毛促進を目的とする方法に関するものであり、頭皮を清潔にしたり、育毛剤や熱を加えて頭皮下の血行を良くすることと頭部のマッサージを併用して育毛促進することを目的とするものであった。
発明の開示
本発明者らは、貴金属の超微粒子を水に超微分散する方法として、貴金属箔を浮遊させた高圧水中で酸素と水素の混合ガスを燃焼させ、その燃焼ガスで貴金属箔片を加熱・溶融する方法や貴金属電極とその対極との間で、プラズマ水中放電させて生ずる貴金属イオン蒸気を水と接触・超微分散さる方法を新規に開発し、貴金属超微粒子の超微分散水を得ることが可能となったことに鑑み、貴金属の健康増進機能や病気治癒効果の可能性への適用の一つとしてこの貴金属超微粒子の超微分散水を頭皮に塗布してヘッドマッサージをする脳の活性化に有効な貴金属超微粒子の超微分散水を作成することに成功した。
すなわち、本発明では、貴金属超微粒子の電気安定性に優れていることを利用して、貴金属の超微粒子の超微分散水を頭部に塗布後にヘッドマッサージすることにより神経の電気伝達をスムーズにし、脳と神経による全身コントロールを向上させて自律神経の健全化、ホルモンバランスの安定、運動機能・感覚機能の向上を図る貴金属超微粒子の超微分散水を得ることに成功した。
本発明は、貴金属電極と対極の間でプラズマ水中放電させて生ずることによって、目的とする貴金属超微粒子の超微分散液からなるヘッドマッサージ液が得られる。
本発明では、上記貴金属超微粒子の超微分散液を頭部に塗布し、頭皮をシャンプー操作で、洗浄・乾燥後、貴金属の超微粒子を含んでなるヘッドマッサージケアを施すことにより脳を活性化することができる。
貴金属材料の応用態様の基本は、イオンや微粒子の水溶液か水分散液であるが、これらの実用化においていくつかの解決されるべき問題点があって、貴金属のイオンや微粒子を水に溶け込ますのが困難で、今までは、水に金箔か金粉を混入させるか又は金の電気分解液による方法しかなく、これらの従来方法では、生産コストが経済性を満たさず、健康増進機能において充分な効果が奏されていなかった。
本発明者らは、このような従来技術の改良を鋭意検討し、貴金属の超微粒子の超微分散水の製造を研究した。すなわち、本発明では、貴金属の微粒子よりさらに微小のミクロンからナノスケールの貴金属の超微粒子を微分散させれば上記の諸欠点を改良できるものと考え、試行錯誤の結果、高圧放電発生装置に備えられた貴金属電極と対極との間で水中プラズマ放電させて生じた貴金属イオン蒸気が水と接触し、超微分散するすることにより貴金属の超微粒子を微分散した水を製造できる技術を完成し、本発明に至った。
本発明の特徴は、上述するように貴金属の通常の微粒子の粒径からさらに細分化したミクロンからナノオーダーの微細な貴金属の超微粒子が超微分散した水の製造とその利用を実現したもので、単に貴金属箔又は貴金属の微粒子が浮遊した水に比べて長期間沈殿することなく、安定な状態の超微分散水が製造でき、得られた水は物性的に通常の水と同様に生体への安全であり、健康増進などの高能性を有している。
発明を実施するための最良の形態
本発明では、上述するような方法によって、水中に貴金属の超微粒子が分散した、超微分散水水からなるヘッドマッサージ処理液にて頭部を処理するもので、ヘッドマッサージ処理液により頭部をマッサージすることにより脳を活性化することができる。
貴金属の微粒子は、水に溶解せず、貴金属の微粒子を水に分散させても分散性が悪かったが、本方法によれば、純度がきわめて高く、形状や粒径の均一性に優れた貴金属の微粉末の分散液を効率良く製造できる。これらの微粉末（微粒子）は、通常の微粉末よりきわめて粒径が小さいもので超微粒子ともいうべきものである。
本発明の特徴の一つは、貴金属の微粒子からさらに進んで、ミクロンからナノオーダーの極小の超微粒子を利用するもので、微粒子よりも、分散性や健康機能の効能などの点において格段に優れるものである。本発明においては、新しい材料である上記｀超微粒子´が分散した液を「超微分散水液」としている。
本発明における貴金属材料が何故にヘッドマッサージ処理液として効能を有し、いかなる生理活性作用を呈するのかは、現在では未だ不明であるけれども、現在解明を進めているところである。
本発明者らは、これら貴金属材料の健康増進機能や病気治療効能を実用化して有効な新規な技術に発展させるために、本発明者による先に出願した金属超微粒子の分散水の製法（特願２００１−３１５２０５号）を利用すれば、貴金属超微粒子分散液の製法の活用になると共に、貴金属のこれらの機能を有効に実体化できることを着想し、さらに、これらの機能の実体化の対象を衣料などの頭部製品にすると、前記した健康増進や清潔化への社会的な要望にも充分に応えることができることに思い至り、本発明の開発に成功した。
本発明は、金、銀、白金などの貴金属の超微粒子が分散した超微分散水水を主要な構成とするものであって、この超微分散水水は、本発明者による下記の貴金属超微粒子の分散液の方法によって製造される。
貴金属の中でも金やプラチナの粒子は、水に溶解や分散せず、金やプラチナの微粒子を水に分散させても、混入させた金やプラチナの重量の割りには表面積が少なく、コスト効率が悪く、また、沈殿も発生し、いずれの方法も技術的に満足されるものではない。
本発明における貴金属の超微粒子の微分散液の製造法の概要は、図１に示される。
本発明の基本的製造法は、収容タンク内に水を連続的又は間欠的に注入し、水中で貴金属から形成された電極と対極との間でプラズマ放電することにより貴金属電極が高温加熱されて貴金属蒸気を作り、生じた貴金属イオン蒸気が水と瞬間的に接触し、超微分散し、水中に分散する。このときにミクロンからナノスケールの非常に細かい貴金属の超微粒子が生成され、超微分散した状態になる。
その際、水収容タンク内で高圧放電発生装置の貴金属電極とその対極を振動又は摺動させることにより貴金属電極の溶着を防ぎ、瞬間的アークを発生させるため超微分散量の制御が簡単に行える。この際、貴金属電極は超微粒子として消耗されるので、棒状又は線状の電極として提供される。また、カーボン等の対極の径及び長さを変えることにより容易に回路に流れる電流量を変更することができるため電源の選択の必要性が無くなる。
製造された水は、排出ポンプにより排出口から出て、ろ過することなくそのまま利用することができるし、またその用途によりフィルターなどでろ過することにより、超微粒子より大きめの微量の貴金属微粒子が除去され、超微粒子のみが超微分散した超微分散水が得られる。フィルターで残渣となるような貴金属微粒子は適宜逆洗により回収し、再使用することにより経済性を改善する。
貴金属の水中での燃焼は、水素と酸素の混合ガスが最も効率的で安定燃焼でき、その安定燃焼のために高圧が必要となる。
なお、高圧水中の燃焼ガス中で貴金属材料が瞬間的に溶解し、超微粒子となる物理化学的な理由を解明中である。
得られた貴金属の分散水が、本発明におけるヘッドマッサージ処理液の原料として活用される。生成した貴金属の超微粒子は、疎水性が非常に強く、安定した分散状態となり、長期間にわたって凝集や沈殿などの分離を起さず、安定した状態を保持する。
この貴金属の超微粒子は、イオン放射効果や超微粒子の有する非常に大きな活性表面積、あるいは貴金属の単体が本来有している貴金属としての特異性などが相まって、さらには、水分子との相互微作用などにより、ヘッドマッサージによるマッサージ効果により貴金属の超微粒子が肌に直接接触して人体の細胞に賦活作用が施され、あるいは、人体の主要部の生理的なツボを通じて筋肉の新陳代謝作用や血液の浄化作用などが促進されるのではないかと推察される。
「実施例」
次に、実施例に基づき、図面に沿って、本発明の実施の態様を説明するが、本発明はこれらに限定されるものではない。
ヘッドマッサージ処理液の製造；
図２の製造装置を用いて本発明の貴金属微分散水を製造する。
図２における高圧・高電流放電用電源２、貴金属電極６と対極７を備えた高圧放電発生装置１、水収容タンク３、水収容タンクへの水供給口８と生成した貴金属超微粒子の超微分散水の排出口９と排出ポンプ１０を備えた、水中に貴金属の超微粒子が超微分散する超微分散水を製造する装置である。付設するものとして、高圧放電発生装置の電極対を供給する電極供給装置４及び電極を振動又は摺動させる電極振動又は摺動装置５、得られた超微分散水の濾過装置１１が設置される。
本発明における製造容器は、金属製、好ましくはスチール製の水収容タンク３であり、水が供給口８より供給され、高圧放電発生装置１の貴金属電極６と対極７は水中に浸漬した状態になっている。この状態で電極間に通電することにより、プラズマ放電して貴金属電極から貴金属が瞬時にイオン化し、水中に超微分散して、水中に貴金属の超微粒子が超微分散する水が製造される。
この貴金属電極と対極間で水中でのプラズマ放電させる際に、両極を振動又は摺動することにより電極の溶着を防ぎ、瞬間的アークを発生させるため超微分散量の制御が簡単に行える。
得られた超微分散水は、そのまま利用してもよいし、排出ポンプ１０にて濾過装置１１を通過し、製品１２として送出される。フィルターとしては、超微粒子のみをろ過させるために、イオン交換膜や逆浸透膜よりも、中空糸膜のミクロンオーダーのものが好適に使用される。
なお、本発明では、製造スケールを大きくしても、パルス状にプラズマ放電することによりほぼ連続的に貴金属超微粒子の超微分散水を製造することができるため、装置をコンパクトにすることができ、効率的な製造法といえる。このように簡単な装置により過度の耐圧を要しないことから安全性も優れている。
本装置においては、生成した超微分散水の中の粒径の比較的大きな貴金属微粒子を除去する必要のあるときには、濾過装置１１を付設することが好適である。
生成水の精製は、上述のように中空糸膜のミクロンオーダーのものを配設した濾過装置１１により行なわれ、適宜、生成した貴金属の微粒子をろ過すればよい。
ろ過することにより、食品衛生規格にも合致した飲料水や化粧品原料基準に合致した化粧水を得ることができる。中空糸膜フィルターによるろ過は、一例として、先ず生成液が反応タンクより排出された場所に５０ミクロン、次に２５ミクロン、３ミクロン、０．５ミクロン、０．１ミクロンの中空糸膜で順次にろ過を行なう。フィルターでろ過された貴金属微粒子は、逆洗により回収し、再使用して経済性に寄与させる。
貴金属電極として、金や白金棒を用い、対極には同種の金属又はカーボンを使用し、１時間通電する。また、電極は、固定した板状のものでも良いし、補助装置によって棒状又は線状のものを順次補充するように押し出すようにしてもよい。いずれにしろ、両電極は、電極振動又は摺動装置５により電極が振動又は摺動されるようにし、高圧放電発生装置１に通電して貴金属電極と対極の間で水中プラズマ放電を行わせる。
頭の仕組みと貴金属超微粒子の超微分散液の作用
頭の仕組みは、頭蓋骨の中に脳があって、体内の各種機関を総合的にコントロールしており、また、感情も脳内から生ずるとと考えられている。脳の中の大脳は脳全体の８０％を占めており、身体の各部から情報を集めて身体の各部に指令を送る重要な役目を果たしている。一方、小脳は、大脳から出る運動命令を調節して、体の各部分に発信しており、脳幹には神経繊維が集中している。このような神経系の働きは、細胞や組織、臓器の機能を統御し、体内外の変化に人体を適応させる情報伝達の役割を担っている。
貴金属超微粒子の超微分散液に含まれている貴金属は、電気安定性に特に優れており、上記した神経の電気伝達をスムーズにすることで脳と神経による全身コントロールの働きを向上させる効果がある。
具体的な効果としては、自立神経の健全化、ホルモンバランスの安定化、運動機能・感覚機能の向上がある。
頭皮のマッサージの仕方
頭皮に貴金属の超微粒子超微分散液を塗布するだけでは、脳の活性化効果は顕著でなく、頭部のマッサージを併用することによりその効果が倍増される。マッサージ法については、種々の器具を活用して頭皮のマッサージにより薬液浸透を助けて頭皮を活性化して育毛を促進する方法（特開平１−１４６５５１号公報）や溶存酸素が１６ｐｐｍである活性水により頭皮を湿潤させて可視光線、レーザー光線をそれぞれ照射して後、育毛剤を塗布し、空気圧を利用したマッサージ工程を行う方法（特開平７−１６３０４号公報）などが公知となっているが、鋭意研究した結果、貴金属を超微粒子として超微分散した水を用いて頭皮に塗布後、ヘッドマッサージをして脳を活性化する方法を新規に開示するに至った。
貴金属超微粒子の超微分散液を塗布後のマッサージの仕方の一例を挙げると、下記の（Ａ）〜（Ｃ）で示される。
（Ａ）頭全体に手のひらを当てて温度を高め、貴金属の超微粒子を超微分散した超微分散液を頭皮に馴染ませる。
（Ｂ）指を髪の毛の中に入れ上に持ち上げるようにし、頭皮をたるませる。この際、最初は頭頂部から行い、次に目尻が持ち上がるように頭の側部を摘むように上へ持ち上げる。
（Ｃ）硬くなった頭皮がゆるんで柔らかくなったのを確認する。
本発明では、新規な貴金属の超微粒子の超微分散液を用いて頭皮に塗布し、ヘッドマッサージをすることにより、毛根を伝わって頭皮内の毛髪組織に該溶液が浸透して毛母細胞及び毛乳頭部分に及ぶ結果、組織の神経、毛細血管に該分散液の影響が伝わり、脳の活性化を促す作用効果は著しいものであった。
貴金属超微粒子の超微分散液の効果の確認
本発明における頭皮のマッサージの手順を具体的に示すと、まず、頭皮をシャンプー操作で洗浄後、濡れた頭髪をタオルやドライヤーで乾燥させる。
すなわち、頭部をシャプー台に突きだしてシャンプーＶＩＤＡＬ  ＳＡＳＳＯＯＮ（マックスファクター（株）製）を用いて５分間手で擦りながら洗浄して後、温水で十分シャンプーを洗い流した。水で濡れている毛髪を乾燥するために温風ドライヤーで３分間処理して、１０分間風乾した。顔を上に向け、スポンジに吸わせた金超微粒子を超微分散した超微分散液が垂れないように注意しながら頭皮に念入りに塗布した。その後、指圧法により１０分間ヘッドマッサージを行った。
貴金属の超微粒子を超微分散した超微分散液を頭皮に塗布後、ヘッドマッサージした場合の効果について貴金属の一例として金を用いた場合を検討した。
マッサージ法
マッサージ法としては、圧迫法、指圧法、叩打法、軽擦法、揉撚法など種々の方法が可能であるが、自律神経のツボ、神経のツボなどを対象とするとその効果も大きい。これらのマッサージにより、ストレスの解消、イライラの解消、自律神経の安定等を解消するマッサージ法であれば貴金属の超微粒子を超微分散した超微分散液を塗布後のマッサージ法として特に限定されない。
金超微粒子の超微分散液の頭部散布が横方向胴体視力に及ぼす影響
横方向動体視力（ＤＶＡ）の測定は、横（水平）方向に移動する対象物を見る際に要求される能力を測定する意味合いから、日常生活や車の運転の際に移動する対象物を正確に認識するという不可欠・最も重要な視機能を測定することである。ここでは、貴金属として金を用いた超微分散液の効果を確認した。
横方向動体視力への効果確認試験
○対象者；１９〜２５歳の女性  １０名
○事前に実験内容や用いた試料水の内容の説明は行わず、測定法は十分説明し、５回の練習試行を行った。対象者は、いずれの年齢層においても平常のＤＶＡ値は標準の範囲を示した。
○測定装置とその設定；眼前９０ｃｍに設置された円弧状のスクリーン上に、視力値０．０２５に相当するランドルト環が水平方向に移動提示される横方向動体視力計−１０を用いた。初期回転数を４０ｒｐｍとし、その後回転数が徐々に低下する設定とした。
○判定条件；顔面を顎台に固定し、対象者が、ランドルト環の切れ目の方向を認識した瞬間にスイッチを押して、その時点の回転数をデジタル表示した。ランドルト環の切れ目が正しく識別された際の提示回数を検査成とし、５回の本試行を行い、この測定値をＤＶＡ値とした。
○金超微粒子の超微分散液の頭部散布条件；金微粒子超微分散液は使用量５ｍＬを朝夕２回頭部に散布した。
使用期間は、３０日とし、１０日毎にＤＶＡの測定を行った。
なお、コントロール水として、通常水道水をプラセボ水として使用した。
○結果；表１に経時による金超微粒子の超微分散液とプラセボ水を用いた場合のＤＶＡの値を示す。
2003035084.tif 000002
表１の結果から３０日経時の金超微粒子の超微分散液条件は、初期値に対しても５％水準の有意な差が認められ、金超微粒子の超微分散液を１日２回頭部に３０日間散布使用することによりＤＶＡ値が向上することが明らかになった。すなわち、金超微粒子の超微分散液は、視機能及び脳の情報処理能力に何らかの効果的な影響を及ぼすものと推察される。
金微粒子超微分散液の頭部散布が大脳疲労に及ぼす影響
大脳疲労値は、思考判断などの精神的な部位を含めた広範囲な脳の機能の低下を反映すると理解されており、大脳疲労計を用いて測定した。
○対象者；２０〜２６歳の健康な成人男子  １２名
○予備検査；２０日間にわたって行い、平常時大脳疲労値を求めた。対象者には、金超微粒子の超微分散液の内容やプラセボを導入していることを知らせないブラインド試験とした。
○測定方法と判定；眼前５０ｃｍに置かれた測定器の０〜９までの順序ある電光数字の１カ所を入れ替え、その数字の点灯周期を１〜１０ヘルツで０．５ヘルツ刻みで刺激提示して制限時間内に判断させる。
正答した場合には、点灯周期を１ヘルツずつ増加し、判断が困難になった時点のヘルツを大脳疲労値とした。
○金微粒子超微分散液散布条件；朝夕２回３０日間にわたって継続散布し、１０日毎に大脳疲労値を測定した。
○結果とその判定；表２に大脳疲労値を示す。
2003035084.tif 000003
以上の結果から、２０日では顕著な差は認められなかったが、３０日経過で量条件の間に５％水準の有意な差が認められ、このことから、金超微粒子の超微分散液の３０日継続使用は大脳疲労に対する抑制効果が認められた。
金超微粒子の超微分散液の頭部散布が脳波に及ぼす影響
最近、心身のストレスを解消するために様々な自律訓練法がもちいられているが、このストレス解消のための訓練が、逆に強い心理的ストレッサーとなることが指摘されている。そこで、最近の自律試験訓練法では、メンタル面のコントロールの大切さが認識されてきた。メンタルマネージメントとして自律訓練法を行った場合、脳のどの機能とどのようにかかわっているかについては解決されていない部分も多い。現在、脳の機能的状態を最も反映していることが知られている脳波シーター波を指標として金超微粒子の超微分散液の頭部散布がシーター波の出現にどのような影響を持つか、もしシーター波の出現に有効であれば、Ｇ水の頭部散布は、合理的なメンタルマネージメントの有力な具体的方法となり得る。
○脳波試験方法；脳波試験方法では、Ｆｍθ波をマーカーとし、このＦｍθ波は、精神作業中に前頭正中線部に出現する４〜７ｃ／ｓｅｃの波で１秒以上持続し、振幅は、男性１８±１．２、女性２２±１．７μＶとされている。この脳波には特有の脳波感覚があり、一般的に２０％の人しか出現せず、さらに持続的に出現するのはその中の２０％程度である。
○対象者；１９〜２５歳の成人女性  ７名
予めインフォームドコンセントを実施し、初期レベルを設定するための予備検査を行った。
試験の目的、内容について知らせないダブルブラインドを行った。
○実験条件；試験対象の金超微粒子の超微分散液及びプラセボとして一般水道水の頭部散布を行った。
散布条件は、それぞれの試験水を１日朝夕２回、３０日間継続散布した。１０日毎に検査した。
○実験手順；まず、通常脳波の測定において、Ｆｍθの出現率を算出し、この値をベースラインとし、その後、心理検査、安静開眼脳波、クレペリン連続加算作業１分連続加算作業１０分、安静１０分、心理検査の準で検査した。
検査結果とそれに基づく評価は以下のとおりである。
なお、表中の数値は、Ｆｍθ値の経時の数を示す。
2003035084.tif 000004
以上の結果から、３０日経過で１％水準の有意な差が認められ、このことから、金超微粒子の超微分散液散布の３０日継続使用は、Ｆｍθ波の有意な出現をもたらし、脳神経系の機能や、精神活動特に注意集中力に対して効果的な影響を与えることが示唆される。
（なお、上記ヘッドマッサージの効能試験の詳細は、平成１３年１０月３０日提出の上申書によってより明らかにすることができる）
産業上の利用可能性
本発明では、貴金属電極と対極の間でプラズマ水中放電させて得られる貴金属の超微粒子を含んだ処理液を用いて頭皮に塗布し、ヘッドマッサージをすることにより、毛根を伝わって頭皮内の毛髪組織に該溶液が浸透して毛母細胞及び毛乳頭部分に及ぶ結果、組織の神経、毛細血管に該分散液の影響が伝わり、脳の活性化を促す作用効果は著しいものであった。
【図面の簡単な説明】
「図１」
本発明の貴金属の超微粒子の微分散水を得るためのフローチャート
「図２」
上記貴金属の超微粒子超微分散水を製造するための装置
符号の説明
１；  高圧放電発生装置
２；  高圧・高電流放電用電源
３；  水収容タンク
４；  電極供給装置
５；  電極振動又は摺動装置
６；  貴金属電極
７；  対極
８；  水収容タンクへの水供給口
９；  貴金属超微粒子の超微分散水排出口
１０；  貴金属超微粒子の超微分散水排出ポンプ
１１；  濾過装置
１２；  製品
【図１】
2003035084.tif 000005
【図２】
2003035084.tif 000006
【国際調査報告】
2003035084.tif 000007
2003035084.tif 000008
2003035084.tif 000009
2003035084.tif 000010
2003035084.tif 000011
2003035084.tif 000012